(57)【要約】【課題】遊技者が玉を獲得したという実感を得られる演出を行いつつ、使用する玉数を削減することができる遊技装置を提供する。【解決手段】遊技媒体演出装置３は、玉５を貯留する少なくとも１つの貯留箱１０を備え、貯留箱１０は、貯留箱１０の底板１０ｅに形成された、玉５を排出するための排出口１２と、貯留箱１０の上に他の貯留箱１０が積み重ねられたことを検出する積重検出部１４ａと、排出口１２を開口又は閉口する開閉部１４ｃとを備え、開閉部１４ｃは、積重検出部１４ａにより貯留箱１０が積み重ねられたことが検出された場合に、排出口１２を開口し、積重検出部１４ａにより貯留箱１０が積み重ねられたことが検出されない場合に、排出口１２を閉口する。【選択図】図４
2016029999.tif 000002
【特許請求の範囲】
【請求項１】
遊技盤から排出された遊技媒体を演出のために貯留する遊技媒体演出装置であって、
前記遊技媒体演出装置は、
前記遊技媒体を貯留する少なくとも１つの貯留箱を備え、
前記貯留箱は、
前記貯留箱の底板に形成された、前記遊技媒体を排出するための排出口と、
前記貯留箱の上に他の前記貯留箱が積み重ねられたことを検出する積重検出部と、
前記排出口を開口又は閉口する開閉部とを備え、
前記開閉部は、前記積重検出部により前記他の貯留箱が積み重ねられたことが検出された場合に、前記排出口を開口し、前記積重検出部により前記他の貯留箱が積み重ねられたことが検出されない場合に、前記排出口を閉口する
遊技媒体演出装置。
【請求項２】
前記積重検出部と前記開閉部とは、回転軸を有する連結部材により連結され、
前記開閉部は、前記積重検出部に荷重が加えられたときに、前記回転軸を中心として前記積重検出部の回転方向と反対方向に移動する
請求項１に記載の遊技媒体演出装置。
【請求項３】
前記貯留箱は、底板において、前記他の貯留箱の上に積み重ねられたときに当該他の前記貯留箱の前記積重検出部に対向する位置に、前記積重検出部に荷重を加えるための突起を有し、
前記積重検出部は、前記突起により荷重が加えられたときに前記貯留箱の深さ方向に移動し、
前記開閉部は、
複数の歯溝を有し、前記積重検出部の移動により荷重が加えられることで、前記積重検出部の移動方向と垂直な方向に移動する移動部と、
前記遊技媒体を通過させる排出窓と、周縁に設けられ前記複数の歯溝に噛み合う複数の歯とを有する回転盤とを有し、
前記開閉部は、前記移動部の移動により前記回転盤が回転され、前記排出口と前記排出窓とが重なることにより前記遊技媒体を排出する
請求項１に記載の遊技媒体演出装置。
【請求項４】
前記貯留箱は、底板において、他の前記貯留箱の上に積み重ねられたときに当該他の前記貯留箱の前記積重検出部に対向する位置に、前記積重検出部に荷重を加えるための突起を有し、
前記積重検出部は、複数の歯溝を有し、前記突起により荷重が加えられたときに前記貯留箱の深さ方向に移動し、
前記開閉部は、
前記複数の歯溝に噛み合う複数の歯を有し、前記積重検出部の移動により回転するギアと、
前記複数の歯と噛み合う複数の歯溝を有し、前記排出口と前記遊技媒体とを隔てるように配置された開閉シャッターとを有し、
前記開閉シャッターは、前記ギアの回転により前記積重検出部の移動方向と反対方向に移動して、前記遊技媒体を前記排出口から排出する
請求項１に記載の遊技媒体演出装置。
【請求項５】
前記積重検出部は、
前記貯留箱の上端に配置された導電性を有する一対の検出端子と、
前記貯留箱の底板に設けられ、前記一対の検出端子を導通する配線とを有し、
前記開閉部は、
モータと、
前記遊技媒体を通過させる排出窓を有し、前記モータの駆動により回転する回転盤とを有し、
前記貯留箱は、
前記貯留箱の上に他の前記貯留箱が積み重ねられたときに、前記一対の検出端子が導通することにより前記モータが駆動され、
前記開閉部は、前記モータの駆動により前記回転盤が回転され、前記排出口と前記排出窓が重なることにより前記遊技媒体を排出する
請求項１に記載の遊技媒体演出装置。
【請求項６】
前記回転盤は、周縁に複数の歯を有し、
前記開閉部は、前記複数の歯に噛み合う複数の歯溝と、端部に連結された弾性部材とを有する移動部を有し、
前記移動部は、前記モータに電力が供給されないときに、前記弾性部材の弾性力により前記回転盤を前記排出口と前記排出窓とが重ならない位置に回転移動する
請求項５に記載の遊技媒体演出装置。
【請求項７】
前記遊技媒体演出装置は、前記貯留箱から排出された前記遊技媒体を回収する出玉回収器を備え、
前記出玉回収器に回収された前記遊技媒体は、整列状態で前記遊技盤へ揚送される
請求項１〜６のいずれか１項に記載の遊技媒体演出装置。
【請求項８】
請求項１〜７のいずれか１項に記載の遊技媒体演出装置と、前記遊技盤とを備える
遊技機システム。
【発明の詳細な説明】
【技術分野】
【０００１】
本発明は、玉を打ち出して遊技するパチンコ機等の遊技媒体演出装置に関する。
【背景技術】
【０００２】
近年、パチンコ機において、発射された玉をパチンコ機内で回収し、発射装置に供給する封入式パチンコ機がある。封入式パチンコ機では、持ち玉は、玉ではなく数値データとしてＩＣカード等に管理されるので、持ち玉を実際にパチンコ機から払い戻す必要はない。したがって、１台のパチンコ機において必要とされる玉の数は、封入式ではない従来のパチンコ機に比べて少なくて済む。
【０００３】
一方で、封入式パチンコ機では、ゲームを通じて獲得した玉が払い出されないので、遊技者は出玉感を感じがたくなる。そこで、出玉感を演出するため、遊技者が獲得した出玉の数量をランプ表示やデジタル表示したり、遊技者が獲得した出玉の数量を実際（同等）の玉を用いて見せることにより、遊技者がどの程度の遊技媒体を獲得しているのかを実感できる遊技装置が提案されている（例えば、特許文献１参照）。
【先行技術文献】
【特許文献】
【０００４】
【特許文献１】特開２０１３−１６５９８７号公報
【発明の概要】
【発明が解決しようとする課題】
【０００５】
特許文献１に開示されている技術では、遊技機に計数機を設けて封入式パチンコ機において、賞球により獲得した玉数と同数の持ち玉を、遊技機の側面に設けられた貯留部に貯留して見せる演出がされている。
【０００６】
しかし、封入式パチンコ機では、ゲームで獲得した玉は払い出されないので、貯留箱（玉箱）を積むことによる演出ができない。そのため、遊技者は、玉を獲得したという実感を得られず面白味に欠けるという欠点がある。また、遊技者本人のみならず周囲に対しても出玉感の希薄化を招き、遊技者は勝利結果を実感することができず、ひいては遊技ホールの稼働率が低下する事態も発生している。
【０００７】
また、実際に玉を払い出すとすると、膨大な数の玉を機器内に準備しておくスペースが必要であるとともに、店舗側の玉の購入費用などもかかる。
【０００８】
本発明は、上述した課題を解決しようとするものであり、遊技者が玉を獲得したという実感を得られる演出を行いつつ、使用する玉数を削減することができる遊技媒体演出装置を提供することを目的とする。
【課題を解決するための手段】
【０００９】
上記目的を達成するために、本発明の一態様に係る遊技媒体演出装置は、遊技盤から排出された遊技媒体を演出のために貯留する遊技媒体演出装置であって、前記遊技媒体演出装置は、前記遊技媒体を貯留する少なくとも１つの貯留箱を備え、前記貯留箱は、前記貯留箱の底板に形成された、前記遊技媒体を排出するための排出口と、前記貯留箱の上に他の前記貯留箱が積み重ねられたことを検出する積重検出部と、前記排出口を開口又は閉口する開閉部とを備え、前記開閉部は、前記積重検出部により前記他の貯留箱が積み重ねられたことが検出された場合に、前記排出口を開口し、前記積重検出部により前記他の貯留箱が積み重ねられたことが検出されない場合に、前記排出口を閉口する。
【００１０】
本態様によれば、封入式でない従来型の遊技装置における演出の効果と同様、遊技者は、どの程度の賞球があったかリアルに実感でき、かつ貯留箱を積重するという行為自体に興趣を感じることができる。また、他の遊技者が見た場合に、その店舗または遊技機からどの程度玉が出ているかを把握できる。さらに、店舗側は、大量に貯留箱を積み上げることが多数賞球していることを示す演出にもなり、ホール全体の臨場感を高めると共に稼働率を高めることができる。
【００１１】
また、本態様によると、店舗が管理する玉の数量を削減することができるため、コストを低減することができる。また、遊技者および店舗は、実際の玉ではなく、玉数が記憶されたＩＣカード等の記録媒体を取り扱うため、玉数の計数を容易化することができる。
【００１２】
つまり、遊技装置は、封入式でない従来型の遊技装置の利点と封入式の遊技装置の利点とを両立することができる。よって、遊技者が玉を獲得したという実感を得られる演出を行いつつ、使用する玉数を削減することができる。
【００１３】
例えば、本発明の一態様に係る遊技媒体演出装置において、前記積重検出部と前記開閉部とは、回転軸を有する連結部材により連結され、前記開閉部は、前記積重検出部に荷重が加えられたときに、前記回転軸を中心として前記積重検出部の回転方向と反対方向に移動するように構成してもよい。
【００１４】
本態様によれば、簡便な構成の貯留箱により簡便な方法で、積重された貯留箱の下側に配置された貯留箱から玉を排出することができる。
【００１５】
例えば、本発明の一態様に係る遊技媒体演出装置において、前記貯留箱は、底板において、前記他の貯留箱の上に積み重ねられたときに当該他の前記貯留箱の前記積重検出部に対向する位置に、前記積重検出部に荷重を加えるための突起を有し、前記積重検出部は、前記突起により荷重が加えられたときに前記貯留箱の深さ方向に移動し、前記開閉部は、複数の歯溝を有し、前記積重検出部の移動により荷重が加えられることで、前記積重検出部の移動方向と垂直な方向に移動する移動部と、前記遊技媒体を通過させる排出窓と、周縁に設けられ前記複数の歯溝に噛み合う複数の歯とを有する回転盤とを有し、前記開閉部は、前記移動部の移動により前記回転盤が回転され、前記排出口と前記排出窓とが重なることにより前記遊技媒体を排出するように構成してもよい。
【００１６】
本態様によれば、貯留箱において、底板に接地された回転盤の回転移動により排出口は開口または閉口されるので、貯留部を広く有効に使用することができる。また、貯留箱に貯留されている玉が多い場合でも、回転盤の回転移動が妨げられにくい。したがって、容易に玉を排出することができる。
【００１７】
例えば、本発明の一態様に係る遊技媒体演出装置において、前記貯留箱は、底板において、他の前記貯留箱の上に積み重ねられたときに当該他の前記貯留箱の前記積重検出部に対向する位置に、前記積重検出部に荷重を加えるための突起を有し、前記積重検出部は、複数の歯溝を有し、前記突起により荷重が加えられたときに前記貯留箱の深さ方向に移動し、前記開閉部は、前記複数の歯溝に噛み合う複数の歯を有し、前記積重検出部の移動により回転するギアと、前記複数の歯と噛み合う複数の歯溝を有し、前記排出口と前記遊技媒体とを隔てるように配置された開閉シャッターとを有し、前記開閉シャッターは、前記ギアの回転により前記積重検出部の移動方向と反対方向に移動して、前記遊技媒体を前記排出口から排出するように構成してもよい。
【００１８】
本態様によれば、開閉シャッターが、積重検出部と平行に貯留箱の側板の近傍に配置されているので、貯留箱に貯留されている玉が多い場合でも、玉により開閉シャッターの動作を妨げられにくい。したがって、容易に玉を排出することができる。
【００１９】
例えば、本発明の一態様に係る遊技媒体演出装置において、前記積重検出部は、前記貯留箱の上端に配置された導電性を有する一対の検出端子と、前記貯留箱の底板に設けられ、前記一対の検出端子を導通する配線とを有し、前記開閉部は、モータと、前記遊技媒体を通過させる排出窓を有し、前記モータの駆動により回転する回転盤とを有し、前記貯留箱は、前記貯留箱の上に他の前記貯留箱が積み重ねられたときに、前記一対の検出端子が導通することにより前記モータが駆動され、前記開閉部は、前記モータの駆動により前記回転盤が回転され、前記排出口と前記排出窓が重なることにより前記遊技媒体を排出するように構成してもよい。
【００２０】
本態様によれば、モータにより回転盤を回転させるので、貯留箱に貯留されている玉が多い場合でも、電力を供給されたモータの駆動力により、容易に玉を排出することができる。また、貯留箱を積重することにより、モータの駆動をオンにすることができるので、容易にモータの制御を行うことができる。
【００２１】
例えば、本発明の一態様に係る遊技媒体演出装置において、前記回転盤は、周縁に複数の歯を有し、前記開閉部は、前記複数の歯に噛み合う複数の歯溝と、端部に連結された弾性部材とを有する移動部を有し、前記移動部は、前記モータに電力が供給されないときに、前記弾性部材の弾性力により前記回転盤を前記排出口と前記排出窓とが重ならない位置に回転移動するように構成してもよい。
【００２２】
本態様によれば、モータの駆動によらずに回転盤を初期位置に移動することができるので、電力を用いずに開閉部を閉口することができる。
【００２３】
例えば、本発明の一態様に係る遊技媒体演出装置において、前記遊技媒体演出装置は、前記貯留箱から排出された前記遊技媒体を回収する出玉回収器を備え、前記出玉回収器に回収された前記遊技媒体は、整列状態で前記遊技盤へ揚送されるように構成してもよい。
【００２４】
本態様によれば、少ない玉数で出玉感を演出できる。店舗が管理する玉の数量を削減することができるため、コストを低減することができる。
【００２５】
また、本発明の一態様に係る遊技システムは、上記した特徴を有する遊技媒体演出装置と、前記遊技盤とを備える。
【００２６】
本態様によれば、上記した特徴を備える遊技システムを提供することができる。
【発明の効果】
【００２７】
本発明によれば、遊技者が玉を獲得したという実感を得られる演出を行いつつ、使用する玉数を削減することができる遊技媒体演出装置を提供することができる。
【図面の簡単な説明】
【００２８】
【図１】実施の形態１に係る遊技装置の概略構成図である。
【図２Ａ】実施の形態１に係る遊技装置の貯留箱の構成を示す斜視図である。
【図２Ｂ】実施の形態１に係る遊技装置の貯留箱の構成を示す断面図である。
【図３Ａ】実施の形態１に係る遊技装置の貯留箱の動作を示す斜視図である。
【図３Ｂ】実施の形態１に係る遊技装置の貯留箱の動作を示す斜視図である。
【図４】実施の形態１に係る遊技装置の貯留箱の動作を示す断面図である。
【図５Ａ】実施の形態２に係る遊技装置の貯留箱の構成を示す斜視図である。
【図５Ｂ】実施の形態２に係る遊技装置の貯留箱の構成を示す斜視図である。
【図６】実施の形態２に係る遊技装置の貯留箱の動作を示す斜視図である。
【図７】実施の形態３に係る遊技装置の貯留箱の構成および動作を示す斜視図である。
【図８】実施の形態４に係る遊技装置の貯留箱の構成および動作を示す斜視図である。
【図９Ａ】実施の形態４に係る遊技装置の貯留箱の構成を示す斜視図である。
【図９Ｂ】実施の形態４に係る遊技装置の貯留箱の外観を示す斜視図である。
【図１０】実施の形態４に係る遊技装置の概略構成図である。
【発明を実施するための形態】
【００２９】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。各図は、必ずしも各寸法または各寸法比等を厳密に図示したものではない。
【００３０】
（実施の形態１）
［遊技装置の構造］
まず、図１を参照しながら、実施の形態１に係る遊技装置の構造について説明する。図１は、本実施の形態に係る遊技装置の概略構成図である。
【００３１】
図１に示すように、本実施の形態に係る遊技装置１は、遊技盤２が配置された遊技機本体１ａと、遊技機本体１ａの側方に配置された出玉回収器１ｂとで構成されている。出玉回収器１ｂの上方には、貯留箱１０が載置される。なお、本実施の形態において、貯留箱１０と出玉回収器１ｂとで、遊技媒体演出装置３が構成されている。また、遊技媒体演出装置３と、遊技盤２を備えた遊技機本体１ａとにより、本実施の形態における遊技機システムである遊技装置１が構成されている。
【００３２】
遊技機本体１ａは、遊技盤２を備えている。遊技盤２は、遊技装置１の主要部を構成するものであり、図１に示すように、操作ハンドル２ａと、表示画面２ｂと、排出口２ｃとを有している。
【００３３】
遊技盤２では、遊技者が操作ハンドル２ａを操作することにより、発射手段（図示せず）から玉５（遊技媒体）が打ち出される。遊技盤２には、玉５が落下する際に玉５が接触して方向転換するための釘や風車など複数の障害物と、玉５が投入されることにより入賞する入賞口とが形成されている。
【００３４】
表示画面２ｂは、例えば液晶表示装置で構成され、遊技盤２の略中央に配設されている。表示画面２ｂには、入賞した場合などゲームの状態や持ち玉数に応じて、所定の図柄や背景が表示される。
【００３５】
排出口２ｃは、賞球時に玉５を遊技機本体１ａの外へ排出する。
【００３６】
また、遊技機本体１ａは、内部に、出玉回収器１ｂより揚送された玉５を再び遊技盤２の上方へと循環させる循環部（図示せず）と、出玉の数を計測する計数器（図示せず）と、獲得した玉数や賞球回数等を記憶した会員カードを排出するサンド機（図示せず）とを有している。
【００３７】
出玉回収器１ｂは、図１に示すように、出玉回収器１ｂの上に載置された貯留箱１０を遊技者が視認できるように、遊技機近傍に配置されている。出玉回収器１ｂは、貯留箱１０を定位置に載置させるための位置決め装置（図示せず）と、貯留箱１０の排出口１２（図２Ｂ参照）から排出される玉５を回収するための空孔４とを有している。出玉回収器１ｂは、貯留箱１０から回収した玉５を、１つ１つ順に、すなわち、整列した状態で遊技機本体１ａへ揚送する。
【００３８】
なお、貯留箱１０が電力により排出口１２を開閉する構成である場合には、出玉回収器１ｂは、貯留箱１０に電力を供給するための電源端子を有する。
【００３９】
［貯留箱の構成］
次に、図２Ａ、図２Ｂ、図３Ａ、図３Ｂおよび図４を参照しながら、貯留箱１０の構成について説明する。図２Ａは、本実施の形態に係る遊技装置の貯留箱の構成を示す斜視図である。図２Ｂは、本実施の形態に係る遊技装置の貯留箱の構成を示す断面図である。図３Ａおよび図３Ｂは、実施の形態１に係る遊技装置の貯留箱の動作を示す斜視図である。図４は、実施の形態１に係る遊技装置の貯留箱の動作を示す断面図である。なお、図３Ａおよび図３Ｂにおいて、第３の側板１０ｃおよび第４の側板１０ｄは図示を省略している。
【００４０】
貯留箱１０は、内部に玉５を貯留する。後述するように、貯留箱１０は、他の貯留箱１０が上面に積み重ねられたことを検出するための構造を有する。そして、他の貯留箱１０が上面に積み重ねられた時のみ、貯留箱１０の排出口１２が開口し、玉５を出玉回収器１ｂの空孔４へ排出する。
【００４１】
貯留箱１０は、図２Ａおよび図２Ｂに示すように、第１の側板１０ａ、第２の側板１０ｂ、第３の側板１０ｃ、第４の側板１０ｄおよび底板１０ｅで構成される貯留部と、排出口１２と、上面から他の貯留箱１０が積重されたことを検出して排出口１２を開閉するレバー１４とを備えている。また、貯留箱１０は、図２Ａに示すように、少なくとも第１の側板１０ａ、第２の側板１０ｂ、第３の側板１０ｃおよび第４の側板１０ｄが、不透明な材料で構成されている。貯留箱１０は、一例として、底板が２５０ｍｍ×２００ｍｍ、高さが８０ｍｍであり、出玉を１５００個程度貯留することが可能である。
【００４２】
また、貯留箱１０の底板１０ｅは、玉５を貯留箱１０の外に排出するための排出口１２を有している。排出口１２は、図２Ｂに示すように、例えば、直径１１ｍｍの玉が排出されるように、一辺が５０ｍｍの正方形の形状に開口されている。
【００４３】
レバー１４は、貯留箱１０が積重されたことを検出する積重検出部１４ａと、積重検出部１４ａと、排出口１２を開閉する開閉部１４ｃと、積重検出部１４ａと開閉部１４ｃとを連動させる連結部１４ｂとを有している。積重検出部１４ａと連結部１４ｂと開閉部１４ｃとは、一体に形成されている。
【００４４】
積重検出部１４ａは、例えば、１０ｍｍ×３０ｍｍ×５ｍｍの直方体の棒状の形状を有している。開閉部１４ｃは、排出口１２を塞ぐように、例えば、一辺が６０ｍｍの正方形の形状に形成されている。連結部１４ｂは、例えば、１０ｍｍ×１５０ｍｍ×５ｍｍの直方体の棒状の形状を有している。連結部１４ｂは、一端が積重検出部１４ａの端部に連結され、他端が開閉部１４ｃの上面に接続されている。連結部１４ｂの、積重検出部１４ａに連結された一端から開閉部１４ｃに連結された他端までの長さは、連結部１４ｂと開閉部１４ｃの自重により、開閉部１４ｃが排出口１２により塞がれる長さに形成されている。例えば、連結部１４ｂは、積重検出部１４ａに連結された一端から開閉部１４ｃに連結された他端までの長さは１５０ｍｍである。
【００４５】
なお、開閉部１４ｃは十分な重量を持ち、十分な力が積重検出部１４ａにかからない状態（他の貯留箱１０が積重されていない状態）では容易には開口しないようにすることが望ましい。また、開閉部１４ｃは、磁石などロック構造により排出口１２を塞いでもよい。
【００４６】
レバー１４は、積重検出部１４ａと連結部１４ｂとの間に回動軸１６を備えている。図２Ａに示すように、レバー１４は、回動軸１６により、第１の側板１０ａの端部に回動可能に取り付けられている。これにより、レバー１４は、後述するように、積重検出部１４ａに加重がかかることにより、回動軸１６を支点として、回転動作する。
【００４７】
このような構成により、貯留箱１０は、初期状態、すなわち、図３Ａに示すように貯留箱１０の上に他の貯留箱１０が積重されていないときには、貯留箱１０の排出口１２が、開閉部１４ｃによって閉口されている。
【００４８】
そして、図４の（ａ）に示すように、上述した初期状態にある第１段目の貯留箱１０（以下、「第１の貯留箱１０Ａ」とする。）の上に第２段目の貯留箱１０（以下、「第２の貯留箱１０Ｂ」とする。）を重ねると、図４の（ｂ）に示すように、積重検出部１４ａには第２の貯留箱１０Ｂにより加重が加えられる。これにより、第１の貯留箱１０Ａのレバー１４の積重検出部１４ａは、第２の貯留箱１０Ｂの底板により押し下げられる。そうすると、第１の貯留箱１０Ａのレバー１４は、回動軸１６を中心として、回転移動する。
【００４９】
このとき、第１の貯留箱１０Ａは、図３Ｂに示すように、連結部１４ｂおよび開閉部１４ｃが、回動軸１６を中心として上方に持ち上げられる。したがって、第１の貯留箱１０Ａの排出口１２は開口される。
【００５０】
これにより、第１の貯留箱１０Ａに貯留された玉５は、図４の（ｂ）に示すように、排出口１２より第１の貯留箱１０Ａの外へと排出される。なお、玉５の排出を容易にするため、開閉部１４ｃおよび貯留箱１０の底板１０ｅには傾斜を持たせておくことが望ましい。例えば、底板１０ｅは、第１の側板１０ａ、第２の側板１０ｂ、第３の側板１０ｃ、第４の側板１０ｄに近い側から排出口１２に向けて高さが低くなるように形成し、開閉部１４ｃは、排出口１２付近の底板１０ｅの傾斜に合わせて突出した形状とすることが望ましい。
【００５１】
［遊技装置の動作］
以下に、遊技装置１の基本的な動作例を示す。以下の動作例では、貯留箱１０を３段積重する場合を例として説明する。
【００５２】
はじめに、第１の貯留箱１０Ａを、出玉回収器１ｂ上に載置する。このとき、第１の貯留箱１０Ａの排出口１２は閉口されており、第１の貯留箱１０Ａに貯留されている玉５は、第１の貯留箱１０Ａから排出されない。したがって、遊技者は、第１の貯留箱１０Ａ内の玉５を視認することができる。
【００５３】
第１の貯留箱１０Ａに所定数の玉５が貯留されると、例えば、遊技者により、図４の（ａ）に示すように、第２の貯留箱１０Ｂが第１の貯留箱１０Ａの上面に積重される。このとき、第１の貯留箱１０Ａに設けられた積重検出部１４ａは、第２の貯留箱１０Ｂによって上方から荷重が加えられ、下方に押し下げられる。これにより、積重検出部１４ａに連結された連結部１４ｂおよび開閉部１４ｃは、回動軸１６を中心として、積重検出部１４ａの移動方向と反対方向、すなわち、上方に押し上げられる。その結果、第１の貯留箱１０Ａの排出口１２は開口する。これにより、第１の貯留箱１０Ａに貯留された玉５は、第１の貯留箱１０Ａの排出口１２から排出される。排出された玉５は、第１の貯留箱１０Ａの下方に位置する出玉回収器１ｂにより回収される。
【００５４】
回収された玉５は、出玉回収器１ｂから遊技機本体１ａへと揚送される。このとき、玉５は、１つ１つ順に、すなわち、整列した状態で遊技機本体１ａへ揚送される。なお、このとき、第２の貯留箱１０Ｂの排出口１２は閉口されており、第２の貯留箱１０Ｂに貯留されている玉５は、第２の貯留箱１０Ｂから排出されない。したがって、遊技者は、第２の貯留箱１０Ｂ内の玉５を視認することができる。
【００５５】
遊技機本体１ａに揚送された玉５は、遊技盤２において再びゲームに使用される。そして、第２の貯留箱１０Ｂに所定数の玉５が貯留されると、例えば、遊技者により、図４の（ｂ）および（ｃ）に示すように、３段目の貯留箱（以下、「第３の貯留箱１０Ｃ」とする。）が、第２の貯留箱１０Ｂ上面に積重される。このとき、第２の貯留箱１０Ｂを第１の貯留箱１０Ａの上に積重した場合と同様、第２の貯留箱１０Ｂに設けられた積重検出部１４ａは、第３の貯留箱１０Ｃによって上方から荷重が加えられ、下方に押し下げられる。これにより、積重検出部１４ａに連結された連結部１４ｂおよび開閉部１４ｃは、回動軸１６を中心として、積重検出部１４ａの移動方向と反対方向、すなわち、上方に押し上げられる。これにより、第２の貯留箱１０Ｂに貯留された玉５は、開口された第２の貯留箱１０Ｂの排出口１２から第１の貯留箱１０Ａへと排出される。
【００５６】
第１の貯留箱１０Ａは、第２の貯留箱１０Ｂが積重された状態であるので、第１の貯留箱１０Ａの開閉部１４ｃは、上方へ持ち上げられており、排出口１２は開口されている。したがって、第２の貯留箱１０Ｂから第１の貯留箱１０Ａに排出された玉５は、さらに第１の貯留箱１０Ａの排出口１２から排出され、出玉回収器１ｂにより回収される。
【００５７】
回収された玉５は、再び出玉回収器１ｂから遊技機本体１ａへと揚送される。このとき、第３の貯留箱１０Ｃの排出口１２は閉口されており、第３の貯留箱１０Ｃに貯留されている玉５は、第３の貯留箱１０Ｃから排出されないので、遊技者は、第３の貯留箱１０Ｃ内の玉５を視認することができる。
【００５８】
そして、上述のような動作が繰り返される。
【００５９】
以上のように、貯留箱１０の上面に、他の貯留箱１０が積重された時のみ、下方の貯留箱１０の排出口１２から玉５が排出され、出玉回収器１ｂにより回収される。積重された貯留箱１０で構成される層（塔、タワー）の一番上に位置する貯留箱１０（上述した例では第３の貯留箱１０Ｃ）にのみ、玉５が貯留されたままになる。しかし、貯留箱１０は不透明な材料で構成されているため、外から見た場合、積重された貯留箱１０の全てに玉５が貯留されているように見える。
【００６０】
玉５は遊技装置内でのみで循環するため、実際に遊技装置が排出する必要のある玉５の数は、貯留箱１０を何箱積重しても１箱分の玉数である。したがって、店舗側では大掛かりな設備を施工する必要もなく、少ない玉数で出玉感を演出できる。つまり、実際の出玉を貯留箱１０に詰めて積み上げるような演出効果を発揮しながら、玉５の準備数量を最小限にすることができる。
【００６１】
［効果］
以上、本実施の形態にかかる遊技媒体演出装置３および遊技装置によると、封入式でない従来型の遊技装置における演出の効果と同様の効果を生じることができる。つまり、遊技者は、どの程度の賞球があったかリアルに実感でき、かつ貯留箱１０を積むという行為自体に興趣を感じることができる。また、他の遊技者が見た場合に、その店舗または遊技機からどの程度玉が出ているかを把握できる。さらに、店舗側は、大量に貯留箱１０を積み上げることが多数賞球していることを示す演出にもなり、ホール全体の臨場感を高めると共に稼働率を高めることができる。
【００６２】
また、本実施の形態にかかる遊技媒体演出装置３および遊技装置１は、封入式の遊技装置における効果と同様の効果を生じることができる。つまり、本実施の形態に係る遊技装置１は、店舗が管理する玉５の数量を削減することができるため、コストを低減することができる。また、遊技者および店舗は、実際の玉ではなく、玉数が記憶されたＩＣカード等の記録媒体を取り扱うため、玉数の計数を容易化することができる。
【００６３】
このように、本実施の形態にかかる遊技媒体演出装置３および遊技装置１では、封入式でない従来型の遊技装置の利点と封入式の遊技装置の利点とを両立することができる。これにより、本実施の形態にかかる遊技装置によると、遊技者が玉を獲得したという実感を得られる演出を行いつつ、使用する玉数を削減することができる。
【００６４】
（実施の形態２）
次に、図５Ａ、図５Ｂおよび図６を参照しながら、実施の形態２に係る遊技装置について説明する。図５Ａおよび図５Ｂは、本実施の形態に係る遊技装置の貯留箱の構成を示す斜視図である。図６は、本実施の形態に係る遊技装置の貯留箱の動作を示す斜視図である。
【００６５】
本実施の形態に係る遊技装置が実施の形態１に係る遊技装置と異なる点は、積重検出部が貯留箱の深さ方向に移動可能な構成であり、開閉部は回転可能な構成である点である。
【００６６】
図５Ａに示すように、本実施の形態にかかる貯留箱２０は、第１の側板２０ａ、第２の側板２０ｂ、第３の側板（図示せず）、第４の側板（図示せず）および底板２０ｃで構成される貯留部を有している。底板２０ｃには、実施の形態１に示した貯留箱１０と同様、排出口２１が形成されている。
【００６７】
また、貯留箱２０は、内側に、回転盤２２と、移動部２３と、積重検出部２６とを有している。また、貯留箱２０は、底板２０ｃの外側の面に、突起２９を有している。さらに、貯留箱２０は、複数の貯留箱２０を安定して積重できるように、第１の側板２０ａ、第２の側板２０ｂに、補強板２０ｄおよび２０ｅを有している。第３の側板および第４の側板も、同様の補強板（図示せず）を有している。
【００６８】
なお、回転盤２２および移動部２３は、本実施の形態における開閉部に相当する。
【００６９】
突起２９は、図５Ｂに示すように、貯留箱２０の底板２０ｃの外側の面に形成されている。詳細には、突起２９は、底板２０ｃにおいて、他の貯留箱２０の上に積み重ねられたときに他の貯留箱２０の積重検出部２６に対向する位置に形成されている。したがって、突起２９は、貯留箱２０の上に他の貯留箱２０が積重されたときに、積重検出部２６の一端に接触する。
【００７０】
積重検出部２６は、スライド窓２６ａを有し、スライド窓２６ａ内には、第１の側板２０ａに固定された固定軸２７が配置されている。固定軸２７は、積重検出部２６が移動するときに、積重検出部２６に対して相対的にスライド窓２６ａ内をスライド移動する。
【００７１】
積重検出部２６の他端は、積重検出部２６の移動方向に対して略４５°に傾斜した斜辺を有している。
【００７２】
また、移動部２３の一端も同様に、移動部２３の移動方向に対して略４５°に傾斜した斜辺を有している。積重検出部２６の当該斜辺と移動部２３の当該斜辺とは当接している。移動部２３は、積重検出部２６が貯留箱２０の深さ方向に移動することにより、移動部２３の荷重を加えられ、積重検出部２６の移動方向と垂直な方向に移動する。
【００７３】
また、移動部２３は、スライド窓２３ａと、複数の歯溝２３ｂとを有している。スライド窓２３ａ内には、第１の側板２０ａに固定された固定部材２４が配置されている。固定部材２４は、移動部２３が移動したときに、移動部２３に対して相対的にスライド窓２３ａ内をスライド移動する。移動部２３の他端には、弾性部材２５が配置され、積重検出部２６から荷重が加えられないときは、移動部２３は、弾性部材２５の弾性力により初期位置に移動する。弾性部材２５は、例えば、ばね部材である。
【００７４】
回転盤２２は、円盤状の形状を有し、歯２２ａと、排出窓２２ｂと、回動軸２２ｃとを有している。歯２２ａは、回転盤２２の周縁に複数形成されている。排出窓２２ｂは、回転盤２２の両面を貫通するように形成されている。排出窓２２ｂは、玉５の直径よりも大きい直径を有する。たとえば、排出窓２２ｂは、直径５０ｍｍの円形状に形成されている。また、回転盤２２は、回動軸２２ｃにより回転可能に底板１０ｅに設置されている。なお、積重検出部２６に突起２９からの荷重が加えられていないときには、排出窓２２ｂと排出口２１の位置は重なっておらず、排出口２１は回転盤２２により閉じられている。
【００７５】
回転盤２２の歯２２ａは、移動部２３に形成された歯溝２３ｂに噛み合っている。したがって、移動部２３の移動により回転盤２２は回動軸２２ｃを中心に所定の角度、回転移動する。当該所定の角度とは、排出窓２２ｂと排出口２１とが重なる位置に回転盤２２を回転させる角度である。したがって、積重検出部２６に突起２９からの荷重が加えられたときには、排出窓２２ｂと排出口２１の位置は重なり、排出口２１が開口される構成となっている。
【００７６】
以上のような構成により、貯留箱２０では以下のようにして玉５が排出される。以下の動作例では、貯留箱２０を２段積重する場合を例として、第１の貯留箱２０Ａの上に第２の貯留箱２０Ｂを積重するときの動作について説明する。
【００７７】
第１の貯留箱２０Ａの上に第２の貯留箱２０Ｂが積重されると、第２の貯留箱２０Ｂに形成された突起２９は、第１の貯留箱２０Ａの積重検出部２６の一端に接触する。積重検出部２６は、突起２９によって荷重が加えられることにより、貯留箱２０の深さ方向に移動する。
【００７８】
図６の（ａ）に示すように、積重検出部２６の当該斜辺と移動部２３の当該斜辺とは当接しているので、積重検出部２６が貯留箱２０の深さ方向に移動することにより、移動部２３の当該斜辺は、積重検出部２６の斜辺から荷重を加えられる。これにより、移動部２３は、図６の（ｂ）に示すように、積重検出部２６の移動方向と垂直な方向（Ｘ方向）に移動する。
【００７９】
さらに、移動部２３の歯溝２３ｂと噛み合った歯２２ａにより、回転盤２２は、移動部２３の移動により図６の（ｂ）に示す矢印Ｑの方向に回転する。これにより、排出窓２２ｂと排出口２１の位置が重なり、排出口２１が開口され、玉５が貯留箱２０の排出口２１から排出される。
【００８０】
排出された玉５は、第１の貯留箱２０Ａの下方に位置する出玉回収器１ｂ（図１参照）により回収される。回収された玉５は、出玉回収器１ｂから遊技機本体１ａへと揚送される。なお、このとき、第２の貯留箱２０Ｂでは回転盤２２により排出口２１は閉口されており、第２の貯留箱２０Ｂに貯留されている玉５は、第２の貯留箱２０Ｂから排出されない。したがって、遊技者は、第２の貯留箱２０Ｂ内の玉５を視認することができる。
【００８１】
なお、玉５の排出を容易にするため、回転盤２２や貯留箱２０の底板２０ｃは、排出口２１に向かって高さが低くなるように傾斜を持たせておくことが望ましい。また、回転盤２２の一部に傾斜した底板をさらに設けるなど、底板２０ｃを二重底構造にしてもよい。
【００８２】
以上のように、貯留箱２０の上面に、他の貯留箱２０が積重された時のみ、下方の貯留箱２０の排出口２１から玉５が排出され、出玉回収器１ｂにより回収される。積重された貯留箱２０で構成される層の一番上に位置する貯留箱２０（上述した例では第２の貯留箱２０Ｂ）にのみ、玉５が貯留されたままになる。貯留箱２０は不透明な材料で構成されているため、外から見た場合、積重された貯留箱２０の全てに玉５が貯留されているように演出することができる。
【００８３】
したがって、上記した遊技装置および遊技装置を構成する遊技媒体演出装置によると、実際の出玉を貯留箱３０に詰めて積み上げるような演出効果を発揮しながら、玉５の準備数量を最小限にすることができる。よって、遊技者が玉を獲得したという実感を得られる演出を行いつつ、使用する玉数を削減することができる。
【００８４】
また、第２の貯留箱２０Ｂでは底板２０ｃに接地された回転盤２２の回転移動により排出口２１は開口または閉口されるので、貯留部を広く有効に使用することができる。また、実施の形態１のようにレバー１４を上下させることがないので、貯留箱３０に貯留されている玉５が多い場合でも、回転盤２２の回転移動が妨げられにくい。したがって、容易に玉５を排出することができる。
【００８５】
（実施の形態３）
次に、図７を参照しながら、実施の形態３に係る遊技装置について説明する。図７は、本実施の形態に係る遊技装置の貯留箱の構成および動作を示す斜視図である。
【００８６】
本実施の形態に係る遊技装置が実施の形態２に係る遊技装置と異なる点は、シャッター状の開閉部を有する点である。
【００８７】
図７の（ａ）〜（ｃ）に示すように、貯留箱３０は、第１の側板３０ａ、第２の側板３０ｂ、第３の側板（図示せず）、第４の側板（図示せず）と、第５の側板３０ｃおよび底板３０ｄとを備えている。玉５が貯留される第１の貯留部は、第２の側板３０ｂ、第３の側板（図示せず）、第４の側板（図示せず）と、第５の側板３０ｃと、底板３０ｄとで構成されている。第１の側板３０ａと第５の側板３０ｃとの間の空間は、玉５を一時的に貯留する第２の貯留部である。第１の側板３０ａと第５の側板３０ｃとの間において、第２の側板３０ｂの近傍の底板３０ｄには、実施の形態１に示した貯留箱１０と同様、排出口３１が形成されている。また、第２の側板３０ｂの近傍の第５の側板３０ｃの一部は、底板３０ｄに隣接するように開口された排出窓を有している。
【００８８】
また、貯留箱３０は、第１の貯留部の内部に、積重検出部３２と、ギア３４と、開閉シャッター３６とを有している。また、貯留箱３０は、実施の形態２に示した貯留箱３０と同様、底板３０ｄの外側の面に、突起（図示せず）を有している。なお、突起については、実施の形態２と同様であるため、説明を省略する。
【００８９】
さらに、貯留箱３０は、複数の貯留箱３０を安定して積重できるように、第１の側板３０ａ、第２の側板３０ｂに、補強板３０ｅおよび３０ｆを有している。第３の側板および第４の側板も、同様の補強板（図示せず）を有している。
【００９０】
なお、ギア３４および開閉シャッター３６は、本実施の形態における開閉部に相当する。
【００９１】
積重検出部３２は、第１の貯留部の内側の第５の側板の３０ｃに設置されている。積重検出部３２は、貯留箱３０の深さ方向に複数の歯溝３２ａを有している。積重検出部３２は、図７の（ａ）に示すように、第５の側板３０ｃに形成された排出窓の上方に配置されている。
【００９２】
ギア３４は、周縁に、歯溝３２ａに噛み合う複数の歯３４ａを有し、第２の側板３０ｂに回動可能に設置されている。
【００９３】
開閉シャッター３６は、図７の（ｃ）に示すように、ギア３４を挟んで積重検出部３２と反対側に、積重検出部３２に並行するように第２の側板３０ｂに上下移動可能に設置されている。積重検出部３２と開閉シャッター３６との間の距離は、玉５が積重検出部３２と開閉シャッター３６の間に入り込まないように玉５の直径よりも小さい。積重検出部３２と開閉シャッター３６との間の距離は、例えば、５ｍｍである。
【００９４】
開閉シャッター３６において、積重検出部３２の歯溝３２ａが形成された面と対向する面には、積重検出部３２の歯溝３２ａと同様の歯溝３６ａが形成されている。歯溝３６ａは、ギア３４の歯と噛み合っている。したがって、積重検出部３２の一端に荷重が加えられ、積重検出部３２が押し下げられると、ギア３４が回転し、開閉シャッター３６が持ち上げられる構成となっている。開閉シャッター３６が持ち上げられていない状態では、第５の側板３０ｃに形成された排出窓は、開閉シャッター３６を覆っている。
【００９５】
積重検出部３２において、荷重が加えられる一端側と反対側の他端には、弾性部材３８が配置されている。積重検出部３２の一端に荷重が加えられないときは、積重検出部３２は、弾性部材３８の弾性力により初期位置、すなわち、開閉シャッター３６が閉じたときの積重検出部３２の位置に移動する。弾性部材３８は、例えば、ばね部材である。
【００９６】
以上のような構成により、貯留箱３０では以下のようにして玉５が排出される。以下の動作例では、貯留箱３０を２段積重する場合を例として、第１の貯留箱３０Ａの上に第２の貯留箱３０Ｂを積重するときの動作について説明する。
【００９７】
第１の貯留箱３０Ａの上に第２の貯留箱３０Ｂが積重されると、第２の貯留箱３０Ｂの底板の裏面に形成された突起（図示せず）は、第１の貯留箱３０Ａの積重検出部３２の一端に接触する。積重検出部３２は、突起によって荷重が加えられることにより、貯留箱３０の深さ方向に移動する。
【００９８】
図７の（ｂ）に示すように、積重検出部３２が貯留箱３０の深さ方向に移動すると、積重検出部３２の歯溝３２ａと歯３４ａに噛み合っているギア３４は回転移動する。これにより、ギア３４の歯３４ａと歯溝３６ａに噛み合っている開閉シャッター３６は、図７の（ｂ）に示すように、積重検出部３２の移動方向と反対方向に移動する。したがって、開閉シャッター３６が持ち上げられるので、第１の貯留部側から、第５の側板３０ｃに形成された排出窓を通して排出口３１が露出し、玉５が貯留箱３０の排出口３１から排出される。
【００９９】
なお、第１の貯留部から一度に多量の玉５が第２の貯留部に移動した場合には、玉５は一旦第２の貯留部に貯留され、その後排出口３１から排出される。
【０１００】
排出された玉５は、第１の貯留箱３０Ａの下方に位置する出玉回収器１ｂ（図１参照）により回収される。回収された玉５は、出玉回収器１ｂから遊技機本体１ａへと揚送される。なお、このとき、第２の貯留箱３０Ｂの開閉シャッター３６は閉口されており、第２の貯留箱３０Ｂに貯留されている玉５は、第２の貯留箱３０Ｂから排出されない。したがって、遊技者は、第２の貯留箱３０Ｂ内の玉５を視認することができる。
【０１０１】
なお、玉５の排出を容易にするため、底板３０ｄは、排出口３１に向かって高さが低くなるように傾斜を持たせておくことが望ましい。また、傾斜した底板を底板３０ｄにさらに設けるなどして、二重底構造にしてもよい。
【０１０２】
以上のように、貯留箱３０の上面に、他の貯留箱３０が積重された時のみ、下方の貯留箱３０の排出口３１から玉５が排出され、出玉回収器１ｂにより回収される。積重された貯留箱３０で構成される層の一番上に位置する貯留箱３０（上述した例では第２の貯留箱３０Ｂ）にのみ、玉５が貯留されたままになる。貯留箱３０は不透明な材料で構成されているため、外から見た場合、積重された貯留箱３０の全てに玉５が貯留されているように演出することができる。
【０１０３】
したがって、上記した遊技装置および遊技装置を構成する遊技媒体演出装置によると、実際の出玉を貯留箱３０に詰めて積み上げるような演出効果を発揮しながら、玉５の準備数量を最小限にすることができる。よって、遊技者が玉を獲得したという実感を得られる演出を行いつつ、使用する玉数を削減することができる。
【０１０４】
また、開閉シャッター３６が、第５の側板３０ｃに設置された積重検出部３２と平行に、すなわち第５の側板３０ｃの近傍に配置されているので、貯留箱３０に貯留されている玉５が多い場合でも、玉５により開閉シャッター３６の動作を妨げられにくい。したがって、容易に玉５を排出することができる。
【０１０５】
（実施の形態４）
次に、図８〜図１０を参照しながら、実施の形態４に係る遊技装置について説明する。図８は、本実施の形態に係る遊技装置の貯留箱の構成および動作を示す斜視図である。図９Ａは、本実施の形態に係る遊技装置の貯留箱の構成を示す斜視図である。図９Ｂは、実施の形態４に係る遊技装置の貯留箱の外観を示す斜視図である。図１０は、本実施の形態に係る遊技装置の概略構成図である。
【０１０６】
本実施の形態に係る遊技装置が実施の形態２に係る遊技装置と異なる主な点は、積重検出部が導電性を有する第１の端子および第２の端子によって構成され、第１の端子および第２の端子が導通したときに、モータの駆動によって開閉部を構成する回転盤が回転される点である。また、本実施の形態に係る遊技装置における貯留箱は、回転盤を回転移動する駆動部を有している。
【０１０７】
図８の（ａ）および（ｂ）、図９Ａに示すように、本実施の形態にかかる貯留箱４０は、第１の側板４０ａ、第２の側板４０ｂ、第３の側板４０ｃ、第４の側板４０ｄおよび底板４０ｅで構成される貯留部を有している。底板４０ｅには、実施の形態１に示した貯留箱１０と同様、排出口４１が形成されている。
【０１０８】
また、貯留箱４０は、内側に、回転盤４２と、移動部４３と、モータ４７と、検出端子５１ａおよび５１ｂと、接続端子５２ａおよび５２ｃと、電源端子５２ｂおよび５２ｄとを有している。また、図９Ｂに示すように、貯留箱４０において、底板４０ｅの外側の面には、配線５３が固定されている。
【０１０９】
なお、検出端子５１ａおよび５１ｂと配線５３とは、本実施の形態における積重検出部に相当する。また、回転盤４２、移動部４３およびモータ４７は、本実施の形態における開閉部に相当する。
【０１１０】
検出端子５１ａおよび５１ｂは、導電性部材により形成され、図９Ａに示すように、貯留箱４０の第１の側板４０ａおよび第３の側板４０ｃの上端に配置されている。検出端子５１ａおよび５１ｂは、例えば、銅により形成されている。
【０１１１】
接続端子５２ａおよび５２ｃは、貯留箱４０の第２の側板４０ｂおよび第４の側板４０ｄの上端に配置されている。接続端子５２ａは、第１の側板４０ａおよび第２の側板４０ｂの内部において、検出端子５１ａと電気的に接続されている。同様に、接続端子５２ｃは、第３の側板４０ｃおよび第４の側板４０ｄの内部において、検出端子５１ｂと電気的に接続されている。
【０１１２】
電源端子５２ｂおよび５２ｄは、貯留箱４０の第２の側板４０ｂおよび第４の側板４０ｄの下端に配置されている。電源端子５２ｂおよび５２ｄは、貯留箱４０を上方からみたときに、接続端子５２ｃは電源端子５２ｄと重なる位置に配置されている。
【０１１３】
また、電源端子５２ｂは、第２の側板４０ｂの内部において、後述するモータ４７に接続され、さらに、モータ４７は、接続端子５２ａと電気的に接続されている。電源端子５２ｄは、第４の側板４０ｄの内部において、接続端子５２ｃと電気的に接続されている。これにより、貯留箱４０を複数個積重したときに、各貯留箱４０の接続端子５２ａおよび５２ｃは、積重された貯留箱４０の電源端子５２ｂおよび５２ｄにそれぞれ直列に接続される。したがって、出玉回収器１ｂに配置された電源から各貯留箱４０に、電力が供給される。
【０１１４】
配線５３は、図９Ｂに示すように、貯留箱４０において、底板４０ｅの外側の面に固定されている。配線５３の両端は、貯留箱４０を上方からみたときに、検出端子５１ａおよび５１ｂとそれぞれ重なる位置に配置されている。これにより、貯留箱４０を複数個積重したときに、各貯留箱４０の検出端子５１ａおよび５１ｂは、積重された貯留箱４０の配線５３によって導通される。
【０１１５】
このような構成により、貯留箱４０を積重すると、電源端子５２ｂ、接続端子５２ａ、検出端子５１ａ、配線５３、検出端子５１ｂ、接続端子５２ｃ、電源端子５２ｄは、この順に出玉回収器１ｂに配置された電源に接続され、直列回路が構成される。また、貯留箱４０を積重しない場合には、上述の直列回路において、配線５３が接続されないことになる。したがって、貯留箱４０を積重することにより、当該直列回路はオン状態となり、貯留箱４０を積重しないことにより、当該直列回路はオフ状態となる。このように、貯留箱４０は、スイッチとして機能する。
【０１１６】
また、貯留箱４０を積重し上述の直列回路がオン状態となると、電源から電力が供給され、モータ４７が駆動される。モータ４７には、周縁に歯を有するギアが連結されている。モータ４７の回転に連動して、ギア４８も回転する。
【０１１７】
回転盤４２は、実施の形態２に示した回転盤２２と同様に、円盤状の形状を有し、歯４２ａと、排出窓４２ｂと、回動軸４２ｃとを有している。回転盤４２の表面の周縁には、後述するモータ４７のギア４８に形成された歯と噛み合う歯溝が形成されている。回転盤４２は、実施の形態２に示した回転盤２２と同様であるため、詳細な説明は省略する。
【０１１８】
回転盤４２の歯４２ａは、移動部４３に形成された歯溝２３ｂに噛み合っている。移動部４３の構成は、実施の形態２に示した移動部２３とほぼ同様であるので、詳細な説明は省略する。移動部４３の一端は、実施の形態２に示した移動部２３の一端と同様に、移動部４３の移動方向に対して略４５°に傾斜した斜辺を有していてもよいし、図８の（ａ）および（ｂ）に示すように、移動部４３の移動方向に対して略垂直に形成されていてもよい。
【０１１９】
また、移動部４３の他端には、弾性部材４５が連結されている。弾性部材４５は、例えば、ばね部材である。移動部４３に弾性部材４５を連結することにより、モータ４７の駆動によらずに回転盤４２を初期位置に移動することができる。したがって、電力を用いずに排出口４１を閉口することができる。
【０１２０】
モータ４７により回転盤２２が駆動されないときは、移動部４３は、弾性部材４５の弾性力により初期位置に移動する。このとき、回転盤４２も初期位置に移動される。初期位置では、排出窓４２ｂと排出口４１の位置は重ならないため、排出口４１は回転盤４２により閉じられた状態となる。
【０１２１】
また、モータ４７の駆動により回転盤４２は回動軸４２ｃを中心に所定の角度、回転移動する。当該所定の角度とは、排出窓４２ｂと排出口４１とが重なる位置に回転盤４２を回転させる角度である。したがって、第１の貯留箱４０Ａに第２の貯留箱４０Ｂが積重されると、回転盤４２に形成された排出窓４２ｂと底板４０ｅに形成された排出口４１の位置は重なり、排出口４１が開口される構成となっている。
【０１２２】
以上のような構成により、貯留箱４０では以下のようにして玉５が排出される。以下の動作例では、貯留箱４０を２段積重する場合を例として、第１の貯留箱４０Ａの上に第２の貯留箱４０Ｂを積重するときの動作について説明する。
【０１２３】
第１の貯留箱４０Ａの上に第２の貯留箱４０Ｂが積重されると、第２の貯留箱４０Ｂに形成された配線５３の両端は、第１の貯留箱４０Ａの検出端子５１ａおよび５１ｂと接触する。よって、貯留箱４０では、電源端子５２ｂ、接続端子５２ａ、検出端子５１ａ、配線５３、検出端子５１ｂ、接続端子５２ｃ、電源端子５２ｄは、この順に出玉回収器１ｂに配置された電源に接続される。詳細には、出玉回収器１ｂに配置された電源の端子５４ａに電源端子５２ｂが、端子５４ｂに電源端子５２ｄが接続される。これにより、出玉回収器１ｂに配置された電源から第１の貯留箱４０Ａに電力が供給され、モータ４７が駆動される。
【０１２４】
モータ４７が駆動されると、モータ４７連結されたギア４８が回転し、ギア４８に形成された歯と回転盤４２に形成された歯溝とが噛み合って、図８の（ｂ）に示すように、回転盤４２はＱ２の方向に回転する。これにより、排出窓４２ｂと排出口４１の位置が重なり、排出口４１が開口され、玉５が貯留箱４０の排出口４１から排出される。
【０１２５】
排出された玉５は、図１０に示すように、第１の貯留箱４０Ａの下方に位置する出玉回収器１ｂにより回収される。回収された玉５は、出玉回収器１ｂから遊技機本体１ａへと揚送される。なお、このとき、第２の貯留箱４０Ｂでは回転盤４２により排出口４１は閉口されており、第２の貯留箱４０Ｂに貯留されている玉５は、第２の貯留箱４０Ｂから排出されない。したがって、遊技者は、第２の貯留箱４０Ｂ内の玉５を視認することができる。
【０１２６】
なお、玉５の排出を容易にするため、底板４０ｅは、排出口４１に向かって高さが低くなるように傾斜を持たせておくことが望ましい。また、傾斜した底板を底板４０ｅにさらに設けるなどして、二重底構造にしてもよい。また、モータ４７の回転数を検知して制御してもよい。さらに、回転盤４２が一定角度以上回転しないように、物理的にストッパーを設けてもよい。
【０１２７】
以上のように、貯留箱４０の上面に、他の貯留箱４０が積重された時のみ、下方の貯留箱４０の排出口４１から玉５が排出され、出玉回収器１ｂにより回収される。積重された貯留箱４０で構成される層の一番上に位置する貯留箱４０（上述した例では第２の貯留箱４０Ｂ）にのみ、玉５が貯留されたままになる。貯留箱４０は不透明な材料で構成されているため、外から見た場合、積重された貯留箱４０の全てに玉５が貯留されているように演出することができる。
【０１２８】
したがって、上記した遊技装置および遊技装置を構成する遊技媒体演出装置によると、実際の出玉を貯留箱４０に詰めて積み上げるような演出効果を発揮しながら、玉５の準備数量を最小限にすることができる。よって、遊技者が玉を獲得したという実感を得られる演出を行いつつ、使用する玉数を削減することができる。
【０１２９】
また、モータにより回転盤を回転させるので、貯留箱３０に貯留されている玉５が多い場合でも、電力を供給されたモータ４７の駆動力により、容易に玉５を排出することができる。
【０１３０】
また、貯留箱４０を積重することにより、モータ４７の駆動をオンにすることができるので、容易にモータ４７の制御を行うことができる。
【０１３１】
以上、本発明の実施の形態１〜４に係る遊技装置および遊技装置を構成する遊技媒体演出装置について説明したが、本発明は、これらの実施の形態に限定されるものではない。
【０１３２】
例えば、玉の排出を容易にするため、貯留箱の底板は、排出口に向かって高さが低くなるように傾斜を持たせてもよい。また、底板の上に、傾斜した底板をさらに設けるなどして、二重底構造にしてもよい。
【０１３３】
また、上述した実施の形態に示したように、モータ駆動により玉を排出する場合には、モータの回転数を検知してモータを制御してもよい。
【０１３４】
また、開閉部を構成する回転盤が一定角度以上回転しないように、物理的にストッパーを設けてもよい。
【０１３５】
また、移動部の一端は、上述したよう移動部の移動方向に対して略４５°に傾斜した斜辺を有していてもよいし、移動部の移動方向に対して略垂直に形成されていてもよいし、その他の形状であってもよい。
【０１３６】
また、回転盤に形成される排出窓は、１つであってもよいし、複数であってもよい。また、回転盤に形成される排出窓が複数の場合、複数の排出窓の大きさおよび形状は同一であってもよいし、異なっていてもよい。
【０１３７】
また、貯留箱および各部の大きさおよび形状は、上述したものに限らず、適宜変更してもよい。
【０１３８】
さらに、上記実施の形態をそれぞれ組み合わせるとしてもよい。
【産業上の利用可能性】
【０１３９】
本発明は、例えば、封入式のパチンコ機等の遊技装置に適用することができる。
【符号の説明】
【０１４０】
１  遊技装置
１ａ  遊技機本体
１ｂ  出玉回収器（回収器）
２  遊技盤
３  遊技媒体演出装置
４  空孔
５  玉（遊技媒体）
１０、２０、３０、４０  貯留箱
１０Ａ、２０Ａ、３０Ａ、４０Ａ  第１の貯留箱
１０Ｂ、２０Ｂ、３０Ｂ、４０Ｂ  第２の貯留箱
１０Ｃ  第３の貯留箱
１２、２１、３１、４１  排出口
１４  レバー
１４ａ、２６、３２  積重検出部
１４ｂ  連結部
１４ｃ  開閉部
１６  回動軸
２２、４２  回転盤（開閉部）
２２ａ、３４ａ、４２ａ  歯
２２ｂ、４２ｂ  排出窓
２２ｃ、４２ｃ  回動軸
２３、４３  移動部（開閉部）
２３ａ、２６ａ  スライド窓
２３ｂ、３６ａ  歯溝
２４  固定部材
２５、３８、４５  弾性部材
２７  固定軸
２９  突起
３４、４８  ギア
３６  開閉シャッター（開閉部）
４７  モータ（開閉部）
５１ａ、５１ｂ  検出端子（積重検出部）
５２ａ、５２ｃ  接続端子
５２ｂ、５２ｄ  電源端子
５３  配線
【図１】
2016029999.tif 000003
【図２Ａ】
2016029999.tif 000004
【図２Ｂ】
2016029999.tif 000005
【図３Ａ】
2016029999.tif 000006
【図３Ｂ】
2016029999.tif 000007
【図４】
2016029999.tif 000008
【図５Ａ】
2016029999.tif 000009
【図５Ｂ】
2016029999.tif 000010
【図６】
2016029999.tif 000011
【図７】
2016029999.tif 000012
【図８】
2016029999.tif 000013
【図９Ａ】
2016029999.tif 000014
【図９Ｂ】
2016029999.tif 000015
【図１０】
2016029999.tif 000016